(57)【要約】【課題】簡単かつ確実に本人確認を行い、非接触式のＩＣカードを用いて属性情報を確実に読み取り、禁制品の販売を規制できる。【解決手段】少なくとも、ＩＣチップを有するＩＣカードから属性情報を読み取る属性情報読取部と、商品販売の可否を判断する販売可否判断部を有し、前記属性情報読取部で読み取った前記ＩＣカードの属性情報から前記販売可否判断部により予め登録された販売可能条件に合致していると判断した場合のみ販売を許可する自動販売機であり、前記ＩＣカードの属性情報の読み取りを許可するための暗証番号を入力する暗証番号入力部と、前記暗証番号入力部で入力された暗証番号が、前記ＩＣカードに予め登録された暗証番号と一致した場合のみ、前記属性情報読取部による属性情報の読み取りを可能にする属性情報読取許可部とを有し、前記暗証番号入力部で入力された暗証番号が所定の時間保持されるとともに、その所定の時間内に前記属性情報読取部により、前記ＩＣカードの属性情報が非接触状態で読み取り可能とする。【選択図】図６
2005208963.tif 000002
【特許請求の範囲】
【請求項１】
少なくとも、ＩＣチップを有するＩＣカードから属性情報を読み取る属性情報読取部と、
商品販売の可否を判断する販売可否判断部を有し、
前記属性情報読取部で読み取った前記ＩＣカードの属性情報から前記販売可否判断部により予め登録された販売可能条件に合致していると判断した場合のみ販売を許可する自動販売機であり、
前記ＩＣカードの属性情報の読み取りを許可するための暗証番号を入力する暗証番号入力部と、
前記暗証番号入力部で入力された暗証番号が、前記ＩＣカードに予め登録された暗証番号と一致した場合のみ、前記属性情報読取部による属性情報の読み取りを可能にする属性情報読取許可部とを有し、
前記暗証番号入力部で入力された暗証番号が所定の時間保持されるとともに、その所定の時間内に前記属性情報読取部により、前記ＩＣカードの属性情報が非接触状態で読み取り可能とすることを特徴とする自動販売機。
【請求項２】
前記ＩＣカードから予め記録された生体情報を読み取る記録生体情報読取部と、
購入者の生体情報を採取する生体情報採取部と、
前記記録生体情報読取部で読み取った記録生体情報と前記生体情報採取部で採取した採取生体情報を比較し前記ＩＣカードの持ち主と購入者が同一人物であることを確認する本人確認部を有し、
前記本人確認部で本人確認され、かつ前記暗証番号入力部で入力された暗証番号が前記ＩＣカードに予め登録された暗証番号と一致した場合のみ、前記属性情報読取許可部が前記属性情報読取部による属性情報の読み取りを可能にすることを特徴とする請求項１に記載の自動販売機。
【請求項３】
前記生体情報採取部は、顔撮影手段であることを特徴とする請求項２に記載の自動販売機。
【請求項４】
前記生体情報採取部は、指紋入力手段であることを特徴とする請求項２に記載の自動販売機。
【請求項５】
前記ＩＣカードから属性情報の読み取りを許可するための暗証番号が予め前記ＩＣカードに登録されているか否かを判断する暗証番号登録有無判断部を有し、
前記暗証番号登録有無判断部が前記ＩＣカードに前記暗証番号が登録されていないと判断した場合は、暗証番号を入力することなく、前記属性情報読取部で属性情報を読み取り、
前記暗証番号登録有無判断部が前記ＩＣカードに前記暗証番号が登録されていると判断した場合は、前記暗証番号入力部に、前記ＩＣカードに登録された暗証番号と同じ暗証番号が入力されることにより前記属性情報読取部で属性情報を読み取ることを特徴とする請求項１乃至請求項４のいずれか１項に記載の自動販売機。
【請求項６】
支払われた金額に相応したポイントを発生させるポイント発生部と、
前記ＩＣカードのポイントを読み取るポイント読取部と、
前記ＩＣカードにポイントを書き込むポイント書込部を有し、
前記ＩＣカードは前記ポイントを書き換え可能状態で保存可能とし、
前記ＩＣカードのポイントを使用して商品購入が可能であることを特徴とする請求項１乃至請求項５のいずれか１項に記載の自動販売機。
【請求項７】
商品購入のつり銭を購入者の選択により前記ポイントとして前記ＩＣカードに記録可能であることを特徴とする請求項６に記載の自動販売機。
【請求項８】
前記販売可否判断部は、前記ＩＣカードの種類を判断し、前記ＩＣカードの種類に応じて販売可否判断の優先順位を設定できることを特徴とする請求項１乃至請求項７のいずれか１項に記載の自動販売機。
【請求項９】
前記属性情報は、少なくとも生年月日情報、性別情報、住所情報、国籍情報のいずれかを含むことを特徴とする請求項１乃至請求項８のいずれか１項に記載の自動販売機。
【請求項１０】
前記ＩＣカードは、少なくとも運転免許証、健康保険証、パスポート、社員証、学生証、購入者カードを含むことを特徴とする請求項１乃至請求項９のいずれか１項に記載の自動販売機。
【発明の詳細な説明】
【技術分野】
【０００１】
この発明は、属性情報による識別機能を有する自動販売機に関するもので、例えば運転免許証、健康保険証、パスポート、社員証、学生証、購入者カード等のＩＣカードによって利用者の年齢等を識別し、年齢等の条件による禁制品の販売を規制できるようにした自動販売機に関するものである。
【背景技術】
【０００２】
自動販売機の普及は目覚ましく種々の商品が自動販売機により販売されているが、その中でも、たばこの自動販売機やアルコール飲料の自動販売機は、最も広く利用されているものの１つである。ところで、このようなたばこやアルコール飲料は、未成年者が喫煙したり飲食するのが禁じられている物品であり、当然未成年者への販売も行なわないことが望ましい。
【０００３】
そのために、近年では、運転免許証を挿入し、これより購入者の年齢を認識して、成人にのみ商品を販売する自動販売機が提案されている（例えば特許文献１）。この自動販売機においては、挿入された運転免許証の画像データをカメラにより撮像し、得られた画像を構造解析して生年月日のデータを獲得し、そのデータに基づいて購入者の年齢を判定するという処理を行なっている。
【０００４】
また、成人にのみ暗証番号付の磁気カードを発行し、磁気カードを自動販売機に挿入すると共に、自動販売機に暗証番号を入力し、磁気カードの暗証番号と入力した暗証番号とが一致した場合のみ、販売可のランプを点灯するようにしたものもある（例えば特許文献２）。
【０００５】
このように、運転免許証や磁気カードを自動販売機に挿入する構造では、自動販売機の構造が複雑かつ大規模となる上に、故障等で運転免許証や磁気カードが自動販売機の内部から取り出せなくなる等のおそれがある。また、購入者に対して運転免許証を取り出して機械に挿入するという動作を要求するために、操作が煩雑になるという問題もある。
【０００６】
したがって、非接触式のＩＣカードを用いて、購入者の年齢を判定することができるようにし、より簡単な構成かつ簡単な操作により確実に購入者の年齢を検出することができ、これにより例え年齢制限が設定されているような商品であっても、その制限に適合した購入者に適切に販売を行うことができるようにするものがある（例えば特許文献３，４）。
【特許文献１】特開平９−２４５２３１号公報
【特許文献２】特開２０００−３３９５２７号公報
【特許文献３】特開２０００−２８５２８３号公報
【特許文献４】特開２００３−６７２０号公報
【発明の開示】
【発明が解決しようとする課題】
【０００７】
ところで、自動販売機の外部に設けられた読取部でＩＣカードを近付け、自動販売機にＩＣカードを挿入しない非接触の状態で、ＩＣカードに記憶された情報を読み取り、未成年者か成人かの判断を行なう場合に、購入者は情報を読み取るタイミングがわからないと、ＩＣカードを正確に読取部に近接させることができないことがある。
【０００８】
また、例えば、運転免許証や健康保険証等をＩＣカード化して用いる場合には、ＩＣカードには物品の販売を規制することに用いる情報以外に、多くの情報が記憶されることがあり、個人情報の保護の観点からも確実に本人確認を行って情報を読み取るようにする必要がある。
【０００９】
この発明は、かかる観点からなされたもので、簡単かつ確実に本人確認を行い、非接触式のＩＣカードを用いて属性情報を確実に読み取り、禁制品の販売を規制できる自動販売機を提供することを目的としている。
【課題を解決するための手段】
【００１０】
前記課題を解決し、かつ目的を達成するために、この発明は、以下のように構成した。
【００１１】
請求項１に記載の発明は、少なくとも、ＩＣチップを有するＩＣカードから属性情報を読み取る属性情報読取部と、
商品販売の可否を判断する販売可否判断部を有し、
前記属性情報読取部で読み取った前記ＩＣカードの属性情報から前記販売可否判断部により予め登録された販売可能条件に合致していると判断した場合のみ販売を許可する自動販売機であり、
前記ＩＣカードの属性情報の読み取りを許可するための暗証番号を入力する暗証番号入力部と、
前記暗証番号入力部で入力された暗証番号が、前記ＩＣカードに予め登録された暗証番号と一致した場合のみ、前記属性情報読取部による属性情報の読み取りを可能にする属性情報読取許可部とを有し、
前記暗証番号入力部で入力された暗証番号が所定の時間保持されるとともに、その所定の時間内に前記属性情報読取部により、前記ＩＣカードの属性情報が非接触状態で読み取り可能とすることを特徴とする。
【００１２】
請求項２に記載の発明は、前記ＩＣカードから予め記録された生体情報を読み取る記録生体情報読取部と、
購入者の生体情報を採取する生体情報採取部と、
前記記録生体情報読取部で読み取った記録生体情報と前記生体情報採取部で採取した採取生体情報を比較し前記ＩＣカードの持ち主と購入者が同一人物であることを確認する本人確認部を有し、
前記本人確認部で本人確認され、かつ前記暗証番号入力部で入力された暗証番号が前記ＩＣカードに予め登録された暗証番号と一致した場合のみ、前記属性情報読取許可部が前記属性情報読取部による属性情報の読み取りを可能にすることを特徴とする。
【００１３】
請求項３に記載の発明は、前記生体情報採取部は、顔撮影手段であることを特徴とする。
【００１４】
請求項４に記載の発明は、前記生体情報採取部は、指紋入力手段であることを特徴とする。
【００１５】
請求項５に記載の発明は、前記ＩＣカードから属性情報の読み取りを許可するための暗証番号が予め前記ＩＣカードに登録されているか否かを判断する暗証番号登録有無判断部を有し、
前記暗証番号登録有無判断部が前記ＩＣカードに前記暗証番号が登録されていないと判断した場合は、暗証番号を入力することなく、前記属性情報読取部で属性情報を読み取り、
前記暗証番号登録有無判断部が前記ＩＣカードに前記暗証番号が登録されていると判断した場合は、前記暗証番号入力部に、前記ＩＣカードに登録された暗証番号と同じ暗証番号が入力されることにより前記属性情報読取部で属性情報を読み取ることを特徴とする。
【００１６】
請求項６に記載の発明は、支払われた金額に相応したポイントを発生させるポイント発生部と、
前記ＩＣカードのポイントを読み取るポイント読取部と、
前記ＩＣカードにポイントを書き込むポイント書込部を有し、
前記ＩＣカードは前記ポイントを書き換え可能状態で保存可能とし、
前記ＩＣカードのポイントを使用して商品購入が可能であることを特徴とする。
【００１７】
請求項７に記載の発明は、商品購入のつり銭を購入者の選択により前記ポイントとして前記ＩＣカードに記録可能であることを特徴とする。
【００１８】
請求項８に記載の発明は、前記販売可否判断部は、前記ＩＣカードの種類を判断し、前記ＩＣカードの種類に応じて販売可否判断の優先順位を設定できることを特徴とする。
【００１９】
請求項９に記載の発明は、前記属性情報は、少なくとも生年月日情報、性別情報、住所情報、国籍情報のいずれかを含むことを特徴とする。
【００２０】
請求項１０に記載の発明は、前記ＩＣカードは、少なくとも運転免許証、健康保険証、パスポート、社員証、学生証、購入者カードを含むことを特徴とする。
【発明の効果】
【００２１】
前記構成により、この発明は、以下のような効果を有する。
【００２２】
請求項１に記載の発明では、暗証番号入力部で入力された暗証番号が所定の時間保持されるとともに、その所定の時間内に属性情報読取部により、ＩＣカードの属性情報が非接触状態で読み取り可能となり、暗証番号入力部で入力された暗証番号が、ＩＣカードに予め記録された暗証番号と一致した場合のみ、属性情報読取部による属性情報の読み取りを可能にし、簡単かつ確実に本人確認を行い、非接触式のＩＣカードを用いて属性情報を読み取り、禁制品の販売を規制できる。
【００２３】
請求項２に記載の発明では、記録生体情報読取部で読み取った記録生体情報と生体情報採取部で採取した採取生体情報を比較し、ＩＣカードの持ち主と購入者が同一人物であることを確認し、暗証番号入力部で入力された番号がＩＣカードに予め記録された暗証番号と一致した場合のみ、属性情報の読み取りを可能にし、購入者の生体情報を用いてさらにより確実に本人確認を行い、紛失したり、盗難されたＩＣカードが使用されないようにすることができる。
【００２４】
請求項３に記載の発明では、顔撮影手段から顔画像の生体情報を得て、簡単かつ確実に本人確認を行うことができる。
【００２５】
請求項４に記載の発明では、指紋入力手段から指紋の生体情報を得て、簡単かつ確実に本人確認を行うことができる。
【００２６】
請求項５に記載の発明では、ＩＣカードに暗証番号が登録されていないと判断した場合は、暗証番号を入力することなく、属性情報読取部で属性情報を読み取り、ＩＣカードに暗証番号が登録されていると判断した場合は、ＩＣカードの暗証番号と同じ登録番号が入力されることにより属性情報を読み取り、ＩＣカードに暗証番号が登録されていない場合でも使用することができる。
【００２７】
請求項６に記載の発明では、ＩＣカードはポイントを書き換え可能状態で保存可能であり、ＩＣカードのポイントを使用して商品を購入することができる。
【００２８】
請求項７に記載の発明では、商品購入のつり銭を購入者の選択によりポイントとしてＩＣカードに記録することができる。
【００２９】
請求項８に記載の発明では、例えばＩＣカード化した運転免許証、パスポート等、購入者が複数枚のＩＣカードを持っている場合などで複数のＩＣカードから非接触で情報が読み込まれると、ＩＣカードの種類を判断し、ＩＣカードの種類に応じて販売可否判断の優先順位を行なうことで、例えば広く用いられる運転免許証や健康保険証をパスポート、社員証、学生証等より優先して用いることができる。
【００３０】
請求項９に記載の発明では、属性情報は、少なくとも生年月日情報、性別情報、住所情報、国籍情報のいずれかを含み、年齢、性別、住所、国籍に基づき禁制品の販売を規制できる。
【００３１】
請求項１０に記載の発明では、ＩＣカードは、少なくとも運転免許証、健康保険証、パスポート、社員証、学生証、購入者カードを含み、種々のＩＣカードを用いて禁制品の販売を規制できる。
【発明を実施するための最良の形態】
【００３２】
以下、この発明の自動販売機の実施の形態について説明するが、この発明は、この実施の形態に限定されない。また、この発明の実施の形態は、発明の最も好ましい形態を示すものであり、この発明の用語はこれに限定されない。
【００３３】
まず、図１乃至図８に示す実施の形態について説明する。図１は自動販売機の斜視図である。この実施の形態の自動販売機１は、たばこを販売するものであるが、これに限定されず、アルコール飲料等でもよく、未成年者が喫煙したり飲食するのが禁じられている物品の自動販売機である。この自動販売機１は、販売機本体２の正面上部にショーウインドー３が設けられ、ショーウインドー３には複数の種類の商品見本４が陳列され、それぞれの商品見本４に対応して商品選択ボタン５が配列されている。販売機本体２の正面右側下部には、紙幣挿入器６が、さらに、その下方にはコイン投入口７及び取消しつまみ８が装備され、コイン投入口７の下方における比較的低い位置に返却口９が設けられるとともに、さらに、その下方にショーウインドー３に対応する商品取出口１０が設けられている。
【００３４】
販売機本体２の正面右側上部には、ＩＣカード情報読取部１１が、さらに、その下方には操作表示部１２が設けられ、ＩＣカードの情報を読み取り、購入するための操作や表示が行なわれる。販売機本体２の内部には、販売する商品が内蔵されると共に、図６に示すように販売するための構成になっている。
【００３５】
図２は商品の購入状態を示す図、図３はＩＣカード情報読取部及び操作表示部の正面図である。操作表示部１２は、液晶タッチパネルで構成され、この液晶タッチパネルには、暗証番号入力ボタン１２ａと操作販売状態表示部１２ｂが設けられている。
【００３６】
購入者Ｐは、操作表示部１２の暗証番号入力ボタン１２ａを操作して暗証番号を入力し、この暗証番号を入力した後に、所定の時間以内にＩＣカード２０をＩＣカード情報読取部１１に近接させてＩＣカード２０に記憶された情報を読み取るようにする。購入者Ｐは、操作販売状態表示部１２ｂの表示によって購入する操作を行なう。
【００３７】
図４はＩＣカードの平面図、図５はＩＣカードの構成図である。この実施の形態のＩＣカード２０は、運転免許証をカード化したものであるがこれに限定されず、健康保険証、パスポート、社員証、学生証、購入者カード等をカード化したものでもよい。
【００３８】
この実施の形態のＩＣカード２０は、２枚のシート基材である第１及び第２のシート材２２，２３としてのベースフィルムと、これら第１及び第２のシート材２２，２３間に介在される接着層２４，２５とからなる。これら第１及び第２のシート材２２，２３の接着層２４，２５を介しない側の表面には、受像層または筆記層が形成される。
【００３９】
受像層の一例としては、昇華染料インクがＴＰＨ（サーマルヘッド）で加熱されて熱拡散する時に、染料をトラップして定着させる素材で構成されるものが挙げられる。この実施の形態の運転免許証をカード化したＩＣカード２０では氏名、生年月日、本籍、住所、交付年月日、交付条件等、免許番号、種類、顔画像等が記録されている。筆記層は、例えばポリエステル樹脂等にシリカ等の白色顔料を分散させたものを塗工して形成することができる。
【００４０】
接着層２４，２５内にはＩＣチップ２６、アンテナ２７及びＩＣモジュールの基材２８を有するＩＣモジュール２９が封入されている。ＩＣチップ２６には、運転免許証に記録した氏名、生年月日、本籍、住所、交付年月日、交付条件等、免許番号、種類、顔画像等がデジタル情報として記録され、さらに暗証番号が記録される。
【００４１】
このように非接触のＩＣカード２０は、外部装置から電源の供給を受けるとともに通信を行うためのアンテナ２７、所定の処理を実行するＣＰＵ、その実行プログラムを記録したプログラムＲＯＭ、動作中の種々のデータを記録するＲＡＭ、データを記録しておく不揮発性メモリ及び整流回路やコンデンサなどの周辺回路、周辺素子のＩＣチップ２６を有し、外部装置とアンテナ２７を介して電磁波により非接触で通信を行い、所望のデータの送受信を行う。
【００４２】
図６は自動販売機の構成図である。この実施の形態の自動販売機１は、販売機本体２の外部にＩＣカード情報読取部１１、操作表示部１２が設けられ、販売機本体２の内部に制御部３０、商品販売部３１、金銭精算部３２が配置され、これらは電子回路や機械的手段等から構成される。
【００４３】
ＩＣカード情報読取部１１は、通信アンテナ部１１ａと情報読取部１１ｂを有し、ＩＣカード２０から情報を読み取る。通信アンテナ部１１ａは外部に近接したＩＣカード２０のアンテナ２７と通信を行う。通信アンテナ部１１ａには、自動販売機１が通信対象とする複数種類の非接触のＩＣカード２０のいずれに対しても通信が行えるように、それらの非接触のＩＣカード２０の通信信号の特性に応じた複数種類のアンテナが具備されている。情報読取部１１ｂは通信アンテナ部１１ａを介して非接触のＩＣカード２０のアンテナ２７と通信を行い、ＩＣカード２０のＩＣチップ２６より情報を読み出し、さらにその情報を制御部３０に出力する。具体的には、情報読取部１１ｂは、ＣＰＵ及びメモリにより構成される。そして、このメモリに、ＣＰＵにおける処理プログラムと、自動販売機１が通信対象としているＩＣカード２０ごとに、その通信信号の特性、情報の読み出し手順などの通信プロトコル、読み出した情報のフォーマットなどが予め登録されている。
【００４４】
操作表示部１２に備えられる暗証番号入力ボタン１２ａは、例えばテンキーで構成され、購入者がＩＣカード２０に予め登録されている暗証番号を入力する操作を行なう。暗証番号入力ボタン１２ａにより暗証番号を入力すると、制御部３０に出力される。操作表示部１２に備えられる操作販売状態表示部１２ｂは、制御部３０からの制御により操作指示表示、属性情報の読み出し不能表示、暗証番号誤り表示、販売不可表示等が行なわれる。
【００４５】
制御部３０は、暗証番号入力部３０ａ、暗証番号登録有無判断部３０ｂ、属性情報読取部３０ｃ、属性情報読取許可部３０ｄ、販売可否判断部３０ｅ及び商品判断部３０ｆを有し、具体的には、ＣＰＵ及びメモリ等により構成される。
【００４６】
暗証番号入力部３０ａは、暗証番号入力ボタン１２ａから入力される暗証番号を所定時間保持し、属性情報読取許可部３０ｄに出力する。
【００４７】
暗証番号登録有無判断部３０ｂは、ＩＣカード情報読取部１１により読み取られた情報からＩＣカード２０に予め暗証番号が記憶されているか否かの判断を行ない、判断情報を属性情報読取許可部３０ｄに出力する。属性情報読取部３０ｃは、ＩＣカード情報読取部１１により読み取られた情報からＩＣカード２０に記録されている属性情報を読み取る。属性情報読取許可部３０ｄは、暗証番号入力部３０ａで入力された暗証番号が、ＩＣカード２０に予め登録された暗証番号と一致した場合のみ、属性情報読取部３０ｃによる属性情報の読み取りを可能にする。
【００４８】
販売可否判断部３０ｅは、属性情報読取部３０ｃで読み取ったＩＣカード２０の属性情報から予め登録された販売可能条件に合致していると判断した場合のみ販売を許可する。例えば、販売可否判断部３０ｅに予め２０才以上に販売可能の販売条件が登録されていると、ＩＣカード２０の生年月日から演算して得られる年齢と比較し、２０才以上の販売可能条件に合致していると判断した場合のみ販売を許可する。販売を許可しない場合は、販売不可を操作販売状態表示部１２ｂに出力して販売不可表示を行なう。販売可の場合は、商品判断部３０ｆで商品選択ボタン５により選択された商品を判断し、金銭精算部３２で選択された商品に応じた料金が投入されると、販売許可の指令を商品販売部３１に出力する。
【００４９】
また、販売可否判断部３０ｅは、ＩＣカード情報読取部１１により読み取られた情報からＩＣカード２０の種類を判断し、ＩＣカード２０の種類に応じて販売可否判断の優先順位を設定でき、例えば広く普及しているＩＣカードを優先して用いることができる。
【００５０】
商品判断部３０ｆは、商品選択ボタン５により選択された商品を判断し、この選択された商品情報を販売可否判断部３０ｅに出力する。
【００５１】
商品販売部３１は、販売可否判断部３０ｅからの販売許可の情報と、選択された商品情報に基づき、選択された商品の販売を行なう。
【００５２】
金銭精算部３２は、周知のコインメック等を含み金銭保留機構とも電気的に接続されており、選択された商品情報に基づき、購入者が投入した金額のうち当該商品の対価分だけ金庫への回収を行い、釣銭を返却口９に返却する。
【００５３】
この実施の形態の自動販売機１は、暗証番号入力部３０ａで入力された暗証番号が所定の時間保持されるとともに、その所定の時間内にＩＣカード２０をＩＣカード情報読取部１１に近接させて属性情報読取部３０ｃにより、ＩＣカード２０の属性情報が読み取り可能となる。この暗証番号入力部３０ａで入力された暗証番号が保持される所定の時間は１５秒以下であり、この所定の時間内に暗証番号入力部３０ａで入力された暗証番号が、ＩＣカード２０に予め登録された暗証番号と一致した場合のみ、属性情報読取部３０ｃによる属性情報の読み取りを可能にし、簡単かつ確実に本人確認を行い、非接触式のＩＣカード２０を用いて属性情報を読み取り、禁制品の販売を規制できる。この所定の時間終了後または商品販売後は、暗証番号入力部３０ａで入力された暗証番号は無効または消去され、次の商品の販売に備える。
【００５４】
図７は自動販売機の作動を示すフローチャートである。この実施の形態の自動販売機１では、運転免許証をカード化したＩＣカード２０を用いて商品を購入する場合を示し、ステップａ１で操作販売状態表示部１２ｂに「暗証番号有無選択」表示を行なう。操作販売状態表示部１２ｂの「暗証番号有無選択」のタッチキーを押して「暗証番号有選択」を行ない（ステップａ２）、「暗証番号入力」表示を行ない（ステップａ３）、暗証番号入力部３０ａにより暗証番号の入力を行なう（ステップａ４）。
【００５５】
この暗証番号の入力から暗証番号入力部３０ａに備えるタイマーがスタートし（ステップａ５）、所定の時間、この実施の形態ではタイマーで設定された１５秒経過確認を行ない（ステップａ６）、１５秒経過すると暗証番号を消去する（ステップａ７）。１５秒が未経過の間にＩＣカード情報読取部１１によりＩＣカード２０のカード検出が行なわれると（ステップａ８）、カード暗証番号の読み出しが行なわれる（ステップａ９）。
【００５６】
暗証番号入力部３０ａに入力された暗証番号とＩＣカード情報読取部１１から読み出された暗証番号とを属性情報読取許可部３０ｄで照合し（ステップａ１０）、暗証番号照合が不一致であると操作販売状態表示部１２ｂに「暗証番号誤り」表示を行ない終了する（ステップａ１１）。暗証番号照合が一致していると、属性情報読取部３０ｃで生年月日の属性情報の読み出しを行ない（ステップａ１２）、この生年月日から年齢を算出する（ステップａ１３）。
【００５７】
ステップａ２において、ＩＣカード２０に暗証番号の記憶がない場合には、操作販売状態表示部１２ｂの「暗証番号有無選択」のタッチキーを押して「暗証番号無選択」を行ない、属性情報読取部３０ｃで生年月日の属性情報の読み出しを行ない（ステップａ１４）、読み出し可能の場合には、ステップａ１３へ移行し、読み出し不可能の場合には、操作販売状態表示部１２ｂに「生年月日情報読み出し不可」の表示を行ない、終了する（ステップａ１６）。
【００５８】
この生年月日から年齢を算出し（ステップａ１３）、販売可否判断部３０ｅで販売年齢条件を照合し（ステップａ１７）、不適合の場合には操作販売状態表示部１２ｂに「販売不可」表示を行ない終了し（ステップａ１８）、適合の場合には操作販売状態表示部１２ｂに「販売可」表示を行ない（ステップａ１９）、投入金額を確認する（ステップａ２０）。
【００５９】
投入金額確認が行なわれると、商品選択ボタン５を点灯して商品選択表示を行ない（ステップａ２１）、購入したい商品に対応した商品選択ボタン５を押すと、商品判断部３０ｆで選択商品を確認し（ステップａ２２）、商品販売部３１によって商品を排出する（ステップａ２３）。この商品の販売でつり銭有無判断を行ない（ステップａ２４）、つり銭が無い場合終了し、つり銭が有る場合は、つり銭を排出して終了する（ステップａ２５）。
【００６０】
図８は自動販売機の作動を示すフローチャートである。この実施の形態の自動販売機１では、購入者カードをカード化したＩＣカード２０を用いて商品を購入する場合を示し、ステップｂ１乃至ステップｂ１８は、図７のステップａ１乃至ステップａ１８と同様にして販売年齢条件を照合するから説明を省略する。販売年齢条件を照合し、適合している場合には、属性情報読取部３０ｃで購入者カード番号を読み出し（ステップｂ１９）、販売可否判断部３０ｅで予め登録されている販売不可番号と比較し（ステップｂ２０）、一致の場合は操作販売状態表示部１２ｂに「販売不可」表示を行ない終了し（ステップｂ２１）、不一致の場合には操作販売状態表示部１２ｂに「販売可」表示を行ない（ステップｂ２２）、偽造、あるいは変造した購入者カードが使用されないようにしている。ステップｂ２２乃至ステップｂ２８は、図７のステップａ１９乃至ステップａ２５と同様にして商品の販売が行なわれるから説明を省略する。
【００６１】
このように購入者カードをカード化したＩＣカード２０の場合に、特に偽造、変造したＩＣカード２０が使用されることを防止するために、暗証番号の入力と、ＩＣカード２０に記憶したカード暗証番号の照合に加え、購入者カードの番号が販売不可番号に該当しないことを確認し、商品の販売が行なわれる。
【００６２】
次に、図９乃至図１２に示す実施の形態について説明する。この実施の形態の自動販売機１は、図１乃至図８に示す自動販売機に購入者の生体情報を採取し、ＩＣカード２０で読み取った記録生体情報と採取生体情報を比較しＩＣカード２０の持ち主と購入者が同一人物であることを確認するようにしたものであり、同じ構成は同じ符号を付して説明を省略する。
【００６３】
図９は自動販売機の斜視図、図１０は商品の購入状態を示す図である。この実施の形態の自動販売機１は、ＩＣカード情報読取部１１の上方に購入者の生体情報を採取する生体情報採取部４０が備えられている。この生体情報採取部４０は、顔撮影手段４０ａまたは指指紋入力手段４０ｂからなる。
【００６４】
顔撮影手段４０ａは、ＣＣＤカメラで構成され、購入者Ｐの顔を撮影し、顔画像の生体情報を得る。指紋入力手段４０ｂは、指紋入力センサで構成され、指紋入力センサの出力は指紋の凹凸に応じた光の反射率で決まるため、それらの出力はそれぞれの指の指紋に応じて異なることになることで、指紋の生体情報を得る。この実施の形態では、顔撮影手段４０ａあるいは指紋入力手段４０ｂで購入者Ｐの生体情報を得ているが、これに限定されず、音声、サイン等からも生体情報を得るようにしてもよい。
【００６５】
図１１は自動販売機の構成図である。この実施の形態の自動販売機１は、ＩＣカード情報読取部１１に、ＩＣカード２０から記録生体情報を読み取る記録生体情報読取部１１ｃが設けられ、制御部３０に本人確認部３０ｈが設けられている。
【００６６】
記録生体情報読取部１１ｃは、ＣＰＵ及びメモリにより構成され、通信アンテナ部１１ａを介して非接触のＩＣカード２０のアンテナ２７と通信を行い、ＩＣカード２０のＩＣチップ２６に記録されている記録生体情報を読み取る。
【００６７】
生体情報採取部４０を構成する顔撮影手段４０ａまたは指紋入力手段４０ｂにより採取された生体情報は、本人確認部３０ｈに送られる。本人確認部３０ｈでは、記録生体情報読取部１１ｃで読み取った記録生体情報と生体情報採取部４０で採取した採取生体情報を比較し、両生体情報が一致すると、ＩＣカード２０の持ち主と購入者が同一人物であることを確認する。
【００６８】
属性情報読取許可部３０ｅでは、本人確認部３０ｈで確認され、かつ暗証番号入力部３０ａで入力された暗証番号がＩＣカード２０に予め登録された暗証番号と一致した場合のみ、属性情報読取部３０ｃによる属性情報の読み取りを可能にする。
【００６９】
図１２は自動販売機の作動を示すフローチャートである。この実施の形態の自動販売機１では、生体情報採取部４０で購入者Ｐの生体情報を取り込み（ステップｃ１）、記録生体情報読取部１１ｃでＩＣカード２０の記録生体情報を読み取り（ステップｃ２）、両生体情報が一致するか否かの判断を行ない本人確認をする（ステップｃ３）。
【００７０】
本人でないと判断されると、操作販売状態表示部１２ｂに「販売不可」表示を行ない終了し（ステップｃ４）、本人であると判断されると、ステップｃ５乃至ステップｃ２９を行なう。このステップｃ５乃至ステップｃ２９は、図７のステップａ１乃至ステップａ２５と同様にして販売年齢条件を照合するから説明を省略する。
【００７１】
この実施の形態では、記録生体情報読取部１１ｃで読み取った記録生体情報と生体情報採取部４０で採取した採取生体情報を比較し、両生体情報が一致することで、確実に本人確認を行い、紛失したり、盗難されたＩＣカードが使用されないようにすることができる。
【００７２】
次に、図１３及び図１４に示す実施の形態について説明する。この実施の形態の自動販売機１は、図１乃至図８に示す自動販売機でＩＣカード化したポイントカードを用いることができるものである。図１３は自動販売機の構成図である。この実施の形態の自動販売機１は、支払われた金額に相応したポイントを発生させるポイント発生部５０と、ＩＣカード２０のポイントを読み取るポイント読取部５１と、ＩＣカード２０にポイントを書き込むポイント書込部５２を有している。ＩＣカード２０はポイントを書き換え可能状態で保存可能とし、ＩＣカード２０のポイントを使用して商品購入可能である。商品購入のつり銭を購入者の選択によりポイントとしてＩＣカード２０に記録可能である。
【００７３】
ポイント読取部５１及びポイント書込部５２は、ＣＰＵ及びメモリにより構成され、通信アンテナ部１１ａを介して非接触のＩＣカード２０のアンテナ２７と通信を行い、ＩＣカード２０のＩＣチップ２６に記録されているポイントを読み取り、またＩＣチップ２６にポイントを書き込む。
【００７４】
図１４は自動販売機の作動を示すフローチャートである。この実施の形態の自動販売機１では、ステップｄ１乃至ステップｄ１９は、図７のステップａ１乃至ステップａ１９と同様にして販売年齢条件を照合するから説明を省略する。
【００７５】
この実施の形態では、ステップｄ１９において、操作販売状態表示部１２ｂに「販売可」表示を行ない、販売可否判断部３０ｅで選択商品確認を行ない（ステップｄ２０）、操作販売状態表示部１２ｂに金額表示を行なう（ステップｄ２１）。
【００７６】
ステップｄ２２の支払方法確認において、現金が投入されると、販売可否判断部３０ｅで投入金額確認を行ない（ステップｄ２３）、商品の排出を行ない（ステップｄ２４）、つり銭有無を判断し（ステップｄ２５）、つり銭が無い場合は終了し、つり銭が有る場合はつり銭を排出して終了する（ステップｄ２６）。
【００７７】
ステップｄ２２の支払方法確認において、ＩＣカード２０がポイントカードの場合はポイント読取部５１で残ポイントの読み取り（ステップｄ２７）、販売可否判断部３０ｅでポイント不足の確認を行なう（ステップｄ２８）。ポイント不足でない場合は、ポイント発生部５０で支払われた金額に相応したポイントを発生させ、元のポイントから差し引いてポイント数更新し（ステップｄ２９）、商品の排出を行ない終了する（ステップｄ３０）。
【００７８】
ステップｄ２８のポイント不足確認において、ポイントが不足していると、ステップｄ３１へ移行して不足分処理確認で購入を取り消して終了し、または現金を投入する（ステップｄ３１）。現金を投入すると、販売可否判断部３０ｅで投入金額を確認し（ステップｄ３２）、つり銭有無の判断を行ない（ステップｄ３３）、つり銭が無い場合は商品を排出して終了する（ステップｄ３４）。
【００７９】
つり銭が有る場合は、つり銭処理判断を行ない（ステップｄ３５）、ポイント処理の場合は、ポイント発生部５０で現に相応したポイントを発生させ、ポイント数を更新し（ステップｄ３６）、商品の排出を行ない終了する（ステップｄ３７）。
【００８０】
ステップｄ３５のつり銭処理判断において、現金処理の場合は、ポイント数を更新し（ステップｄ３８）、商品の排出を行ない（ステップｄ３９）、つり銭を排出して終了する（ステップｄ４０）。
【００８１】
このように、図１乃至図１４の自動販売機１では、販売可能条件に合致していると判断した場合のみ販売を許可するＩＣカード２０の属性情報として、生年月日情報を用いているが、これに限定されず、性別情報を用い男性のみ、あるいは女性のみに商品を販売できるようにしてもよく、また住所情報、国籍情報を用いて販売可能条件を設定し販売を許可するようにしてもよい。
【００８２】
また、図１乃至図１４の自動販売機１では、ＩＣカード化した運転免許証を用いて商品を販売する場合について説明したが、例えばＩＣカード化した運転免許証、パスポート等、購入者が複数枚のＩＣカードを持っている場合などで複数のＩＣカードから非接触で情報が読み込まれると、販売可否判断部３０ｅは、ＩＣカード２０の種類を判断し、ＩＣカード２０の種類に応じて販売可否判断の優先順位を設定できる。このように、ＩＣカード２０の種類に応じて販売可否判断の優先順位を行なうことで、例えば広く用いられる運転免許証や健康保険証をパスポート、社員証、学生証等より優先して用いることができる。
【産業上の利用可能性】
【００８３】
この自動販売機は、例えば運転免許証、健康保険証、パスポート、社員証、学生証、購入者カード等のＩＣカードによって利用者の年齢等を識別し、年齢等の条件による禁制品の販売を規制できるようにした自動販売機に適用できる。
【図面の簡単な説明】
【００８４】
【図１】自動販売機の斜視図である。
【図２】商品の購入状態を示す図である。
【図３】ＩＣカード情報読取部及び操作表示部の正面図である。
【図４】ＩＣカードの平面図である。
【図５】ＩＣカードの構成図である。
【図６】自動販売機の構成図である。
【図７】自動販売機の作動を示すフローチャートである。
【図８】自動販売機の作動を示す他の実施の形態のフローチャートである。
【図９】自動販売機の他の実施の形態の斜視図である。
【図１０】他の実施の形態の商品の購入状態を示す図である。
【図１１】自動販売機の他の実施の形態の構成図である。
【図１２】自動販売機の作動を示す他の実施の形態のフローチャートである。
【図１３】自動販売機の他の実施の形態の構成図である。
【図１４】自動販売機の作動を示す他の実施の形態のフローチャートである。
【符号の説明】
【００８５】
１  自動販売機
２  販売機本体
１１  ＩＣカード情報読取部
１１ａ  通信アンテナ部
１１ｂ  情報読取部
１１ｃ  記録生体情報読取部
１２  操作表示部
１２ａ  暗証番号入力ボタン
１２ｂ  操作販売状態表示部
２０  ＩＣカード
２６  ＩＣチップ
２７  アンテナ
３０  制御部
３０ａ  暗証番号入力部
３０ｂ  暗証番号登録有無判断部
３０ｃ  属性情報読取部
３０ｄ  属性情報読取許可部
３０ｅ  販売可否判断部
３０ｆ  商品判断部
３０ｈ  本人確認部
３１  商品販売部
３２  金銭精算部
４０  生体情報採取部
５０  ポイント発生部
５１  ポイント読取部
５２  ポイント書込部
【図１】
2005208963.tif 000003
【図２】
2005208963.tif 000004
【図３】
2005208963.tif 000005
【図４】
2005208963.tif 000006
【図５】
2005208963.tif 000007
【図６】
2005208963.tif 000008
【図７】
2005208963.tif 000009
【図８】
2005208963.tif 000010
【図９】
2005208963.tif 000011
【図１０】
2005208963.tif 000012
【図１１】
2005208963.tif 000013
【図１２】
2005208963.tif 000014
【図１３】
2005208963.tif 000015
【図１４】
2005208963.tif 000016